(57)【要約】【課題】薄型化および幅の狭小化を促進できる中留具、帯状体、時計および装身具を提供すること。【解決手段】バンド１００の長手方向にスライド可能なスライド部材４に、長手方向に突出する突起４２を設ける。一方、蓋部材３の先端側には突起４２に係合する係合部３２を形成する。第二端部１００Ｂ側の連結部材７２をベース部材２に載置し、係合部３２を突起４２に係合させる。突起４２および係合部３２がバンド１００の長手方向に沿って配置されているので、バンド１００の幅方向の寸法の制限を最小限に抑制でき、中留具１の幅の狭小化を促進できる。また、係合部を厚み方向に重ね合わせて突起を挟持する必要がないので、係合構造の薄型化を促進できる。【選択図】  図５
2005040159.tif 000002
【特許請求の範囲】
【請求項１】
帯状体の端部同士を連結する中留具であって、
一方の前記端部に設けられるベース部材と、
基端側が前記ベース部材に対して回動自在に取り付けられる蓋部材と、
他方の前記端部に設けられるとともに、前記ベース部材および前記蓋部材の間に介装される連結部材とを備え、
前記ベース部材には、前記帯状体の長手方向に沿ってスライド可能なスライド部材が設けられ、
このスライド部材端部には、長手方向に向かって突出する突起が設けられ、
前記蓋部材には、前記突起に係合する係合部が形成されていることを特徴とする中留具。
【請求項２】
請求項１に記載の中留具において、
前記突起は、前記ベース部材の前記帯状体長手方向の端部に対して出没可能に設けられ、前記係合部は、前記ベース部材の前記帯状体長手方向の端部よりも外側に配置されていることを特徴とする中留具。
【請求項３】
請求項１または請求項２に記載の中留具において、
前記スライド部材の幅方向両側には、前記スライド部材のスライド方向を規制するガイド部が設けられていることを特徴とする中留具。
【請求項４】
請求項１から請求項３のいずれかに記載の中留具において、前記スライド部材の少なくとも前記ベース部材との摺動面には、凸部が設けられていることを特徴とする中留具。
【請求項５】
請求項１から請求項４のいずれかに記載の中留具において、前記スライド部材をスライド可能に保持する保持部材を備え、前記スライド部材は、前記ベース部材および前記保持部材の間に介装されていることを特徴とする中留具。
【請求項６】
請求項５に記載の中留具において、
前記保持部材には、前記スライド部材が収納される凹部が形成されていることを特徴とする中留具。
【請求項７】
請求項６に記載の中留具において、
前記スライド部材の前記突起が設けられた側とは反対側の端部と、前記凹部端面との間には、前記帯状体の長手方向に沿って弾性力を発生する弾性部材が介装されることを特徴とする中留具。
【請求項８】
請求項１から請求項７のいずれかに記載の中留具を備えたことを特徴とするバンド。
【請求項９】
時計ケースに取り付けられたバンドと、このバンドに取り付けられる請求項１から請求項７のいずれかに記載の中留具とを備えたことを特徴とする時計。
【請求項１０】
帯状体と、この帯状体に取り付けられる請求項１から請求項７のいずれかに記載の中留具とを備えたことを特徴とする装身具。
【発明の詳細な説明】
【０００１】
【発明の属する技術分野】
本発明は、中留具、バンド、時計および装身具に関する。
【０００２】
【背景技術】
例えば時計のバンドなどに使用される中留具としては、一方のバンドの端部に設けられた取付部を他方のバンドの端部に設けられた二つ折りの中留具で連結するものが知られている（例えば特許文献１）。この中留具は、中留本体と、中留本体に対して回動可能に支持された表板とを備えており、表板には中留本体に向かって突出する係止部が形成され、中留本体には、幅方向に対向するプッシュボタンが設けられている。プッシュボタンには、それぞれ幅方向内側に互いに反対向きの鈎状部が形成されており、この鉤状部がバンドの厚み方向に重なることにより、幅方向中央に楕円形の係合部が形成されている。また、対向するプッシュボタンの間には、ばねが幅方向に沿って配置されている。
このような構造の中留具では、他方のバンド端部の取付部を中留本体と表板との間に介装し、表板の係止部を中留本体に押し込むと、係止部が楕円形の係合部に挿通される。プッシュボタンの係合部は、ばねの付勢力によって係止部を挟み、これにより取付部が中留本体と表板との間で保持され、両方のバンドの端部が互いに連結される。
【０００３】
【特許文献１】
特開平７−３１３２２２号公報  （第２−３頁、第２図、第３図）
【０００４】
【発明が解決しようとする課題】
しかしながら、このような中留具では対向するプッシュボタンの鉤状部がバンドの厚み方向に重なっているため、厚み方向のスペースを確保しなければならず、中留具の薄型化を促進することができない。
また、ばねが幅方向に沿って配置されているため、ばねのスペースを幅方向に確保しなければならず、この構造での中留具のさらなる幅の狭小化には限界がある。
【０００５】
本発明の目的は、薄型化、幅の狭小化を促進できる中留具、バンド、時計および装身具を提供することにある。
【０００６】
【課題を解決するための手段】
本発明の中留具は、帯状体の端部同士を連結する中留具であって、一方の端部に設けられるベース部材と、基端側がベース部材に対して回動自在に取り付けられる蓋部材と、他方の端部に設けられるとともに、ベース部材および蓋部材の間に介装される連結部材とを備え、ベース部材には、帯状体の長手方向に沿ってスライド可能なスライド部材が設けられ、このスライド部材端部には、長手方向に向かって突出する突起が設けられ、蓋部材には、突起に係合する係合部が形成されていることを特徴とする。
【０００７】
この発明によれば、一方の端部側のベース部材と蓋部材との間に、他方の端部側の連結部材を介装して、蓋部材でベース部材を覆うように当該蓋部材を回動させると、連結部材がベース部材および蓋部材の間に介装される。ベース部材には、突起を有するスライド部材が設けられ、蓋部材には係合部が設けられているため、係合部が突起に係合することで、蓋部材がベース部材に固定される。これにより、ベース部材と蓋部材との間に連結部材が保持され、端部同士が連結される。係合部および突起の係合を外す場合には、スライド部材を帯状体の長手方向にスライドさせれば、突起が係合部に対して退避し、係合部の係合が外れる。
【０００８】
この時、スライド部材が帯状体の長手方向にスライドし、突起や係合部などの構成部品が当該長手方向に配置されているので、これらの部材による中留具の幅方向の寸法の制限がなくなり、中留具の幅の狭小化が促進される。
また、突起がスライド部材において帯状体の長手方向に向かって突出しており、係合部が突起に係合されることでベース部材および蓋部材が固定される。つまり、スライド部材を長手方向にスライドさせて突起を係合部に片側から係合させるという構造となっているため、従来のような対向する鈎状の係合部で係止部を挟持する必要がない。つまり、鈎状の係合部を対向させるために互いに厚み方向に重ね合わせる必要もない。したがって、突起および係合部が、中留具の厚み方向に対して占めるスペースが小さくなり、中留具の薄型化が促進される。さらに、係合部を対向させて二つ設ける必要がないので、中留具の構造が簡単になり、部品点数が減少する。
【０００９】
ここで、帯状体の端部同士を連結するとは、一本の帯状体の両端を連結する場合や、複数の帯状体のうち、一つの帯状体の一端と他の帯状体の一端とを連結する場合などを含む。また、帯状体とは、帯状の部材が一体で設けられているものはもちろん、複数の部材が接合、連結などされて全体として一つの帯状体が形成されているものも含む。
【００１０】
本発明では、突起は、ベース部材の帯状体長手方向の端部に対して出没可能に設けられ、係合部は、ベース部材の帯状体長手方向の端部よりも外側に配置されていることが望ましい。
この発明によれば、突起がベース部材の帯状体長手方向の端部に対して出没可能に設けられており、また係合部がベース部材の帯状体長手方向の端部よりも外側に配置されているので、突起および係合部がベース部材の端部よりも外側において係合される。したがって、蓋部材をベース部材に対して厚み方向により近接させて設けても、係合部先端がベース部材に干渉することがない。これにより、蓋部材をベース部材により近接させて配置することが可能となり、中留具の薄型化がより一層促進される。
【００１１】
本発明では、スライド部材の幅方向両側には、スライド部材のスライド方向を規制するガイド部が設けられていることが望ましい。
この発明によれば、ガイド部によってスライド部材のスライド方向が規制されるので、従来とは異なり幅方向の抜け落ちを防止する抜け止めピンなどが不要となり、中留具の構造が簡単になる。また、ガイド部によってスライド部材がスライド方向に規制されるので、スライド部材のスライド動作が安定し、蓋部材の係合部が確実に突起に係合する。
なお、スライド部材の幅方向とは、スライド部材のスライド方向に直交する方向を意味し、つまり帯状体の幅方向（帯状体の長手方向に直交する方向）を意味する。
【００１２】
本発明では、スライド部材の少なくともベース部材との摺動面には、凸部が設けられていることが望ましい。
この発明によれば、スライド部材の少なくともベース部材との摺動面に凸部が設けられているので、スライド部材がスライドする際に、少なくともベース部材に対してこれらの凸部で接触してスライドする。したがって、スライド部材の摺動面積が最小限に抑制され、摺動抵抗が減少し、摩耗が低減される。また、摩耗が抑制されるので、中留具の耐久性が向上する。
【００１３】
本発明では、スライド部材をスライド可能に保持する保持部材を備え、スライド部材は、ベース部材および保持部材の間に介装されていることが望ましい。
この発明によれば、スライド部材がベース部材と保持部材との間に介装されているので、スライド部材がベース部材および保持部材によって確実に保持され、スライド部材のスライド動作が安定する。また、スライド部材が保持部材とベース部材とに介装されているので、スライド部材が外部から視認不可能となり、中留具の外観が向上する。
【００１４】
本発明では、保持部材には、スライド部材が収納される凹部が形成されていることが望ましい。
この発明によれば、保持部材の凹部にスライド部材が収納されるので、ベース部材にスライド部材の収納部分を形成する必要がなく、ベース部材の形状が簡単となる。
【００１５】
本発明では、スライド部材の突起が設けられた側とは反対側の端部と、凹部端面との間には、帯状体の長手方向に沿って弾性力を発生する弾性部材が介装されることが望ましい。
この発明によれば、長手方向に沿って弾性力を発生するように弾性部材が設けられているので、弾性部材の寸法や形状による中留具の幅方向の寸法への影響が少なくなって中留具の幅方向の寸法が弾性部材の寸法に大きく依存しなくなり、これによっても中留具の幅の狭小化が促進される。また、これにより、幅の狭い中留具であっても所望の弾性力を設定可能となり、突起および係合部の係合力を高めるなどの設計の自由度が高まる。
【００１６】
本発明のバンドは、前述の中留具を備えたことを特徴とする。
この発明によれば、バンドが前述の中留具を備えているので、薄型化および幅の狭小化が促進され、幅の狭いバンドに適用した場合にも、バランスのよいバンドが形成される。また、幅の狭いバンドにも対応可能となるため、多種多様なデザインに適用可能となる。
【００１７】
本発明の時計は、時計ケースに取り付けられたバンドと、このバンドに取り付けられる前述の中留具とを備えたことを特徴とする。
この発明によれば、時計の時計ケースに取り付けられたバンドに、前述の中留具が設けられているので、中留具の薄型化および幅の狭小化が促進され、中留具を幅の狭い時計のバンドに適用した場合でも、バンドに対しての外観上のバランスが良好となる。これにより、多種多様なデザインの時計にも適用可能となる。
【００１８】
本発明の装身具は、帯状体と、この帯状体に取り付けられる前述の中留具とを備えたことを特徴とする。
この発明によれば、装身具が前述の中留具を備えているので、薄型化および幅の狭小化が促進され、幅の狭い装身具に適用した場合にも、帯状体と中留具との外観上のバランスがよい装身具が形成される。また、幅の狭い装身具にも対応可能となるため、ブレスレットやネックレスなどの多種多様なデザインの装身具に適用可能となる。
【００１９】
【発明の実施の形態】
以下、本発明の一実施形態を図面に基づいて説明する。
図１および図２には、本発明の一実施形態にかかる中留具１の斜視図が示されている。これらの図１および図２において、中留具１は時計のバンド（帯状体）１００の第一端部（一方の端部）１００Ａと、第二端部（他方の端部）１００Ｂとを連結するものであり、第一端部１００Ａには、中留１Ａが、第二端部１００Ｂには中留１Ａと連結する取付部１Ｂが設けられている。バンド１００は、図示しない時計ケースに取り付けられるものであり、複数の金属製の駒部材が連結されて帯状に形成されている。
中留１Ａは、一端が第一端部１００Ａに取り付けられるベース部材２と、このベース部材２の他端に回動可能に設けられる蓋部材３と、ベース部材２に取り付けられ、バンド１００の長手方向にスライド可能なスライド部材４と、スライド部材４をベース部材２に保持する保持部材５とを備えている。
【００２０】
ベース部材２は、略矩形状の板状部材で、バンド１００の幅方向（長手方向に直交する方向）両端には、バンド１００の長手方向に沿って第一端部１００Ａに連結する連結部２１が一体的に形成されている。連結部２１は、ベース部材２の厚み方向表側（ベース部材２において保持部材５が設けられている側、つまり図１の上側）に突出するように形成され、第一端部１００Ａ側の端部がベース部材２よりも長手方向に突出している。この突出部分には、貫通孔２１１が形成されており、これらの貫通孔２１１に連結ピン２１２が挿通されることでベース部材２の一端が第一端部１００Ａに連結されている。また、連結部２１には、長手方向に沿って長孔２１３が形成されている。
ベース部材２の他端には、蓋部材３を支持する支持部２２が設けられており、この支持部２２には、バンド１００の幅方向に沿って貫通する貫通孔２２１が形成されている。
【００２１】
蓋部材３は、ベース部材２をほぼ覆う面積の略矩形状に形成されており、その基端側には、貫通孔３１１を有する二つの突出部３１が形成されている。これらの突出部３１にはバンド１００の幅方向に沿って貫通孔３１１が形成されており、突出部３１が支持部２２の両側に配置されたとき、貫通孔２２１および貫通孔３１１は一直線上に配置される。これらの貫通孔２２１および貫通孔３１１に連結ピン３１２が挿通されることで、ベース部材２および蓋部材３が連結され、蓋部材３がベース部材２に対して連結ピン３１２周りに約１８０°回動可能に支持されている。支持部２２の端面と一方の突出部３１との間には、ねじりばね３１３が介装されており、このねじりばね３１３は、蓋部材３を回動させてベース部材２に対して近接させた時に付勢力を発生するように構成されている。
【００２２】
蓋部材３の先端側には、蓋部材３をベース部材２に係止するための係合部３２が形成されている。この係合部３２は、蓋部材３をベース部材２に対して回動させた時にベース部材２に対向する面から略直角に突出するように形成されている。また係合部３２には、蓋部材３の先端側に向かって凹となる凹部３２１が形成されており、この凹部３２１により、係合部３２は蓋部材３の厚み方向に対して断面略コ字形に形成されている。また、係合部３２先端において、蓋部材３の基端側の面には、傾斜部３２２が形成されている。
【００２３】
図３には、スライド部材４および保持部材５の斜視図が示されている。この図３において、スライド部材４および保持部材５は、図１とは反対側（ベース部材２側）から見た場合の図となっている。
スライド部材４は、略十字形の板状部材であり、バンド１００の幅方向両側には、保持部材５の端部から突出する操作部４１が設けられている。これらの操作部４１は、ベース部材２の長孔２１３に挿通され、先端側が外部に露出することにより、外部からスライド部材４を操作可能に配置されている。ここで、長孔２１３は操作部４１の長孔２１３方向の寸法よりも長く形成されているので、操作部４１が長孔２１３に沿って摺動可能に挿通されることとなる。したがって、スライド部材４は、長孔２１３に沿ってスライド可能となっている。
【００２４】
スライド部材４の第一端部１００Ａに近い側の端部には、バンド１００の長手方向に向かって突出する突起４２が形成されている。この突起４２の先端には、ベース部材２に対向する面とは反対側の面に傾斜部４２１が形成されている。
図４は、スライド部材４を示す図であり、図４（Ａ）はスライド部材４の平面図、図４（Ｂ）は図４（Ａ）のＢ−Ｂ断面図、図４（Ｃ）は図４（Ａ）のＣ−Ｃ断面図である。この図４にも示されるように、スライド部材４両面には、凸部４３が形成されている。凸部４３は、略半球状に形成され、スライド部材４のスライド方向（バンド１００の長手方向）に沿って表裏それぞれ二箇所、スライド方向に直交する方向（バンド１００の幅方向）に沿って表裏それぞれ二箇所配置されている。
これらの凸部４３により、スライド部材４は、ベース部材２および保持部材５に対して凸部４３で点接触してスライドし、これらの部材への接触面積が低減されている。
【００２５】
ここで、バンド１００の長手方向に沿って配置された二つの凸部４３は所定距離を有して配置されており、これによりスライド部材４がベース部材２および保持部材５に対して当該長手方向に安定して接触、スライドするようになっている。バンド１００の幅方向に沿って配置された二つの凸部４３についても、互いに所定距離を有して配置されているので、幅方向に対してもスライド部材４が安定してスライドするようになっている。
また、スライド部材４の表裏両面に形成された凸部４３は、図４（Ａ）に示されるように、平面視で互いに重ならないように配置されている。
【００２６】
図３に戻って、保持部材５のベース部材２に対向する面には、スライド部材４をスライド可能に収納する凹部（ガイド部）５１が形成されている。この凹部５１は、スライド部材４の外形に沿って略十字型に形成されており、操作部４１が配置される操作部用凹部５１Ａと、突起４２が配置される突起用凹部５１Ｂとを備えている。操作部用凹部５１Ａおよび突起用凹部５１Ｂは、保持部材５の端面まで凹状に切り欠かれている。また、この凹部５１において、突起用凹部５１Ｂとは反対側の端部は、保持部材５の端面まで切り欠かれることなく、端面５１Ｃを形成している。
ここで、操作部用凹部５１Ａのバンド１００の長手方向に沿った寸法は、操作部４１の当該長手方向に沿った寸法よりも大きく形成されている。これにより、スライド部材４は凹部５１に沿って当該長手方向にスライド可能に配置されており、突起４２が保持部材５に対して出没可能に配置されている。つまり、凹部５１は、スライド部材４のスライド方向を規制するガイド部としての機能を果たす。
【００２７】
スライド部材４の突起４２が設けられた側とは反対側の端部と、端面５１Ｃとの間には、コイルばね（弾性部材）６が介装されている。コイルばね６は、その軸方向がスライド部材４のスライド方向に一致するように配置されている。これにより、コイルばね６は、スライド部材４をスライド方向に付勢可能に配置されている。
このような保持部材５は、凹部５１にスライド部材４およびコイルばね６を収納した状態で、図１に示されるようにベース部材２にねじ止めされて固定されている。保持部材５は、バンド１００の長手方向に沿った寸法がベース部材２の寸法よりも短いので、保持部材５をベース部材２に取り付けた状態では、保持部材５と支持部２２との間にはベース部材２が露出する間隙２３が形成される。
【００２８】
取付部１Ｂは、前述の図２に示されるように、第二端部１００Ｂに接続されるアーム部材７１と、中留１Ａと連結する連結部材７２とを備えている。アーム部材７１は、第二端部１００Ｂの幅方向両側に二つ平行に設けられ、これらのアーム部材７１の基端側は、連結ピン７１１によって第二端部１００Ｂに連結されている。アーム部材７１の先端側には、対向するアーム部材７１をバンド１００の幅方向に連結するように、連結部材７２が架け渡されている。これにより、連結部材７２、アーム部材７１、および第二端部１００Ｂに囲まれた領域には、空間７３が形成される。
【００２９】
図５には、前述の中留具１を用いてバンド１００の第一端部１００Ａおよび第二端部１００Ｂを連結した場合の中留具１の側断面図が示されている。この図５において、蓋部材３を空間７３に挿通して連結部材７２を間隙２３に配置し、蓋部材３を連結ピン３１２周りに回動させてベース部材２に近接させると、ねじりばね３１３によって蓋部材３をベース部材２から離間させる方向に付勢力が発生する。この付勢力に抗して蓋部材３を回動させてベース部材２をほぼ覆うと、係合部３２がスライド部材４の突起４２に当接される。
【００３０】
さらに蓋部材３を回動させて係合部３２を突起４２に対して押し込むと、スライド部材４がコイルばね６の弾性力に抗してバンド１００の長手方向に移動し、突起４２がベース部材２の内部側に退避する。突起４２が係合部３２のの傾斜部３２２に案内されながら先端部分を乗り越えると、コイルばね６の弾性力により突起４２が再びベース部材２の外部側に突出し、突起４２が凹部３２１に係合する。この時、突起４２は、ベース部材２端部から突出しており、また、係合部３２は突起４２に外側から係合するので、突起４２および係合部３２がベース部材２および保持部材５の端部より外側に配置される。
突起４２および係合部３２の係合により、蓋部材３およびベース部材２が互いに係合され固定される。連結部材７２は、蓋部材３およびベース部材２に介装されるので、第一端部１００Ａおよび第二端部１００Ｂが連結される。
【００３１】
中留具１の連結を外す場合には、操作部４１を長孔２１３に沿ってスライドさせると、スライド部材４が凹部５１にガイドされながらバンド１００の長手方向に沿ってスライドする。このスライド部材４のスライドに伴って、突起４２がベース部材２の内部側に移動し、これにより係合部３２の凹部３２１との係合が外れる。蓋部材３は、ねじりばね３１３によってベース部材２から離間する方向に付勢されているので、この付勢力によって蓋部材３が回動してベース部材２から離間する。空間７３に蓋部材３を通して抜き、連結部材７２をベース部材２から外せば、第一端部１００Ａと第二端部１００Ｂとの連結が外れる。
【００３２】
このような時計のバンド１００によれば、次のような効果が得られる。
（１）  突起４２がスライド部材４においてバンド１００の長手方向に形成され、係合部３２もバンド１００の長手方向に配置されている。さらに、スライド部材４もバンド１００の長手方向に沿ってスライドする。つまり、蓋部材３とベース部材２とを係合するための構成部品が全てバンド１００の長手方向に沿って配置されている。したがって、これらの構成部品による幅方向の寸法の規制を最小限に抑制することができ、これにより中留具１の幅の狭小化を促進できる。
また、コイルばね６もバンド１００の長手方向に沿って配置されているので、コイルばね６を幅方向に配置する場合に較べて、中留具１の幅寸法を短くすることができ、これによっても中留具１の幅の狭小化を促進できる。
【００３３】
（２）  突起４２がバンド１００の長手方向にスライドすることで係合部３２に係合するので、係合部３２を片側から係止することができる。したがって、従来とは異なり係合部３２を両側から挟持する必要がないので、対向する係合部を厚み方向に重ね合わせる必要もなく、中留具１の薄型化を促進できる。また、これにより蓋部材３およびベース部材２の係合構造を簡単にでき、部品点数を減少できる。
さらに、係合部３２および突起４２が互いに係合した状態で、両者がベース部材２の外側に配置されるので、係合部３２先端がベース部材２に干渉しない。したがって、蓋部材３をさらにベース部材２に近づけて配置することができ、中留具１の薄型化をより一層促進できる。
【００３４】
（３）  係合部３２が突起４２に対して外側から係合されるので、係合部３２によって突起４２を外部から視認不可能にできる。したがって、中留具１の外観を向上させることができる。
【００３５】
（４）  スライド部材４がベース部材２および保持部材５の間に介装され、スライド部材４のほぼ全部が保持部材５に覆われているので、スライド部材４が外部から視認不可能となり、これによって中留具１の外観を向上させることができる。
また、この時スライド部材４の突起４２がバンド１００の長手方向に向かって突出してるので、保持部材５においてスライド部材４が収納される側とは反対側の面に、孔や切欠などを形成する必要がなく、これによっても中留具１の外観を向上させることができる。
【００３６】
（５）  凹部５１が、スライド部材４のスライド方向を規制しているので、スライド部材４がバンド１００の幅方向にずれることなく長手方向に確実にスライドし、係合部３２が突起４２に確実に係合できる。
ここで、ベース部材２へのスライド部材４の設置は、スライド部材４の操作部４１をベース部材２の長孔２１３に挿通させ、続いて、コイルばね６と保持部材５をセットすることによって行うことができる。なお、前記操作部４１の挿通部を孔形状でなく、切欠いた形状とした場合には、予め保持部材５の凹部にスライド部材４およびコイルばね６を収納した状態で、ベース部材２に載置できるため、スライド部材４およびコイルばね６を簡単に設置できる。そして、凹部５１が保持部材５に形成されているので、ベース部材２を略板状に形成することができ、ベース部材２の形状を簡単にできる。
【００３７】
（６）  スライド部材４の両面に凸部４３が設けられているので、ベース部材２および保持部材５に対する摺動面積を低減でき、摩耗を低減できる。したがって、中留具１の耐久性を向上させることができる。また、凸部４３が半球状に形成されているので、ベース部材２および保持部材５に点接触する。これにより、これらの部材との接触面積を最小限に抑制できる。
【００３８】
なお、本発明は前述の各実施形態に限定されるものではなく、本発明の目的を達成できる範囲での変形、改良等は本発明に含まれるものである。
スライド部材の凸部は、半球状に形成されていたが、これに限らず例えば円錐状や円柱状など、スライド部材の摺動面の接触面積を減少できる任意の形状を採用できる。
また、凸部は、例えば板状部材をプレスするなどして形成してもよい。この場合には、図６（Ａ）、（Ｂ）および（Ｃ）に示されるように、凸部４３の反対側の面には、凸部４３に対応する位置に凹部４４が形成される。したがって、凸部４３の位置がスライド部材４の表裏で重ならないように、互い違いに配置する必要がある。
凸部は、前述の実施形態ではスライド部材４の両面に形成されていたが、これに限らない。例えば保持部材が設けられておらずスライド部材４が片面のみでスライドする場合には、凸部を片面のみに設ければよい。要するに、凸部は、少なくともベース部材に対する摺動面に設けられていればよい。
【００３９】
弾性部材は、前述の実施形態のようなコイルばね６に限らず、例えば板ばねなど、任意の弾性部材が採用できる。いずれの弾性部材を採用する場合でも、スライド部材をスライド方向に付勢するように弾性部材を配置すれば、突起と係合部との係合を確実にできる。
また、弾性部材は必ずしも設けられていなくてもよく、例えばスライド部材が、突起の出没位置、つまり帯状部の長手方向に突出した状態および逆方向に退避した状態の二位置で係止されるように構成されていてもよい。
【００４０】
係合部の形状は、前述の実施形態のように凹部３２１が形成されているものに限らず、例えば図７に示されるように、係合部３２に孔３２３が形成されているものであってもよい。この場合でも突起が孔３２３を貫通することによって係合部３２が突起に係合される。
【００４１】
バンドは、前述の実施形態における金属バンドに限らず、皮やプラスチックのバンドなど、任意の材料および形状のものを採用できる。また、バンドは、前述の実施形態のように連結されることで環状に形成されるものに限らず、帯状に連結されるものであってもよい。
また、本発明の中留具は、時計のバンドに用いられるものに限らず、ブレスレットやネックレスなど、その他の任意の帯状体の端部同士を連結するのに適用でき、またこのようなブレスレットやネックレスなどの任意の装身具に適用できる。
【００４２】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００４３】
【発明の効果】
このような本発明によれば、帯状体の一方の端部に取り付けられたベース部材に、スライド部材が帯状体の長手方向にスライド可能に設けられ、このスライド部材には、当該長手方向に突出する突起が形成されている。一方、蓋部材には突起に係合する係合部が形成されているので、蓋部材をベース部材に固定する際の必要構成部品が帯状体の長手方向に配置されることとなり、幅方向の寸法の規制が最小限に抑制される。したがって、中留具の幅の狭小化を促進できるという効果がある。また、突起がスライドすることによって係合部を片側から係止できるので、従来とは異なり係合部を挟持する構造とならず、係合部を厚み方向に重ねる必要がなく、中留具の薄型化を促進できるという効果がある。
【図面の簡単な説明】
【図１】本発明の一実施形態にかかる中留具の一部を示す分解斜視図。
【図２】中留具の他の一部を示す斜視図。
【図３】スライド部材および保持部材を示す斜視図。
【図４】スライド部材を示す図。
【図５】中留具を示す側断面図。
【図６】スライド部材の凸部の変形例を示す図。
【図７】係合部の変形例を示す図。
【符号の説明】
１…中留具、２…ベース部材、３…蓋部材、４…スライド部材、５…保持部材、６…コイルばね（弾性部材）、３２…係合部、４２…突起、４３…凸部、５１…凹部（ガイド部）、１００…バンド（帯状体）、１００Ａ…第一端部（一方の端部）、１００Ｂ…第二端部（他方の端部）。
【図１】
2005040159.tif 000003
【図２】
2005040159.tif 000004
【図３】
2005040159.tif 000005
【図４】
2005040159.tif 000006
【図５】
2005040159.tif 000007
【図６】
2005040159.tif 000008
【図７】
2005040159.tif 000009